【手続補正書】
【提出日】令和3年8月17日(2021.8.17)
【手続補正１】
【補正対象書類名】特許請求の範囲
【補正対象項目名】全文
【補正方法】変更
【補正の内容】
【特許請求の範囲】
【請求項１】
ＯＳにドライバーがインストールされたことで生成されるプリンターキューを介して画像形成装置にジョブを送信し、ドキュメントの出力処理を実行させるクライアント装置であって、
前記クライアント装置が有する複数の機能のうちの一つの機能を用いて前記出力処理を行うための複数の前記プリンターキューと関連付く、前記クライアント装置のデスクトップ上に表示される仮想デバイスオブジェクトであって、前記仮想デバイスオブジェクトを介して前記プリンターキューに対するユーザー操作を受け付ける第一の受け付け手段と、
複数の前記プリンターキューに関連付く第一の画面であって、複数の前記プリンターキューの中からプリンターキューを選択するユーザー操作を、前記第一の画面で受け付ける第二の受け付け手段と、
前記第一の受け付け手段によって受け付けたユーザー操作に応じて前記第一の画面を表示し、前記第二の受け付け手段によって受け付けたユーザー操作により前記第一の画面で選択されたプリンターキューを用いて、前記ドキュメントの出力処理を実行させる実行手段と、
を有するクライアント装置。
【請求項２】
前記クライアント装置は、
前記第一の受け付け手段により受け付けたユーザー操作が選択した仮想デバイスオブジェクトに関連付く画像形成装置の、機能を選択するユーザー操作を第二の画面で受け付ける第三の受け付け手段を更に有し、
前記仮想デバイスオブジェクトにおけるユーザー操作に応じて前記第二の画面を表示し、
前記第二の画面におけるユーザー操作に応じて前記第一の画面を表示することを特徴とする請求項１に記載のクライアント装置。
【請求項３】
前記クライアント装置は、
前記第二の画面において選択された機能を有するプリンターキューが複数であるかを判定する第一の判定手段を更に有し、
前記第一の画面は、
前記第一の判定手段によって、前記第二の画面において選択された機能を有するプリンターキューが複数であると判定された場合に表示される請求項１または２に記載のクライアント装置。
【請求項４】
前記第一の判定手段によって、前記第二の画面において選択された機能を有するプリンターキューが複数でないと判定された場合、
前記第一の画面を表示することなく前記プリンターキューを、前記ジョブを送信する際のプリンターキューとして使用することを特徴とする請求項３に記載のクライアント装置。
【請求項５】
前記クライアント装置は
前記ＯＳにインストールされている前記複数のプリンターキューに対応する前記画像形成装置のアドレス情報と、同じアドレス情報を有する仮想デバイスオブジェクトが前記デスクトップに存在するかを判定する第二の判定手段を更に有し、
前記第二の判定手段によって、前記アドレス情報を有する仮想デバイスオブジェクトが存在しないと判定された場合、
前記アドレス情報を有する仮想デバイスオブジェクトを作成することを特徴とする請求項１乃至４のいずれか一項に記載のクライアント装置。
【請求項６】
前記クライアント装置は、
前記第一の受け付け手段により受け付けたユーザー操作が選択した仮想デバイスオブジェクトに関連付く画像形成装置の、機能を選択するユーザー操作を第二の画面で受け付ける第三の受け付け手段と、
前記第二の画面において選択された機能を有するプリンターキューが存在するかを判定する第三の判定手段を更に有し、
前記第三の判定手段によって存在しないと判定された場合に、
前記第二の画面で選択された機能を有するプリンターキューが存在しない旨を表示することを特徴とする請求項１乃至５のいずれか一項に記載のクライアント装置。
【請求項７】
前記クライアント装置は、
前記プリンターキューの使用回数と、前記プリンターキューの使用開始時刻とを管理する管理手段を更に有し、
前記管理手段によって管理された前記使用回数と使用開始時刻とに基づいて、
前記画面に表示するプリンターキューを設定する請求項１乃至６のいずれか一項に記載のクライアント装置。
【請求項８】
前記クライアント装置は、
前記管理手段によって管理されている使用回数に基づいて、前記プリンターキューが使用されたかを判定する第四の判定手段と、
前記管理手段によって管理されている使用開始時刻と、現在時刻との差が一定の値を超えているかを判定する第五の判定手段と、を更に有し、
前記第四の判定手段によって前記使用回数がゼロであると判定され、且つ前記第五の判定手段によって前記一定の値を超えていると判定されたプリンターキューを、前記画面に表示しない請求項７に記載のクライアント装置。
【請求項９】
前記仮想デバイスオブジェクトは、
前記複数のプリンターキューまたは、前記ドキュメントの変換処理を含む機能に対する指示を一つの画面で受け付けることを特徴とする請求項１乃至８のいずれか一項に記載のクライアント装置。
【請求項１０】
前記ユーザー操作は、
前記仮想デバイスオブジェクト、または前記第一の画面に前記ドキュメントをドラッグし、ドロップするドラッグアンドドロップ操作である請求項１乃至９のいずれか一項に記載のクライアント装置。
【請求項１１】
前記複数のプリンターキューは、
前記クライアント装置が有する印刷機能を用いて前記出力処理を行う複数の印刷用プリンターキューであることを特徴とする請求項１乃至１０のいずれか一項に記載のクライアント装置。
【請求項１２】
コンピュータを、
ＯＳにドライバーがインストールされたことで生成されるプリンターキューを介して画像形成装置にジョブを送信し、ドキュメントの出力処理を実行させるクライアント装置として機能させるためのプログラムであって、
前記クライアント装置が有する複数の機能のうちの一つの機能を用いて前記出力処理を行うための複数の前記プリンターキューと関連付く、前記クライアント装置のデスクトップ上に表示される仮想デバイスオブジェクトであって、前記仮想デバイスオブジェクトを介して前記プリンターキューに対するユーザー操作を受け付ける第一の受け付け手段と、
複数の前記プリンターキューに関連付く第一の画面であって、複数の前記プリンターキューの中からプリンターキューを選択するユーザー操作を、前記第一の画面で受け付ける第二の受け付け手段と、
前記第一の受け付け手段によって受け付けたユーザー操作に応じて前記第一の画面を表示し、前記第二の受け付け手段によって受け付けたユーザー操作により前記第一の画面で選択されたプリンターキューを用いて、前記ドキュメントの出力処理を実行させる実行手段と、
を有するクライアント装置として機能させるためのプログラム。
【請求項１３】
ＯＳにドライバーがインストールされたことで生成されるプリンターキューを介して画像形成装置にジョブを送信し、ドキュメントの出力処理を実行させるクライアント装置の制御方法であって、
前記クライアント装置が有する複数の機能のうちの一つの機能を用いて前記出力処理を行うための複数の前記プリンターキューと関連付く、前記クライアント装置のデスクトップ上に表示される仮想デバイスオブジェクトであって、前記仮想デバイスオブジェクトを介して前記プリンターキューに対するユーザー操作を受け付ける第一の受け付けステップと、
複数の前記プリンターキューに関連付く第一の画面であって、複数の前記プリンターキューの中からプリンターキューを選択するユーザー操作を、前記第一の画面で受け付ける第二の受け付けステップと、
前記第一の受け付けステップによって受け付けたユーザー操作に応じて前記第一の画面を表示し、前記第二の受け付けステップによって受け付けたユーザー操作により前記第一の画面で選択されたプリンターキューを用いて、前記ドキュメントの出力処理を実行させる実行ステップと、
を有するクライアント装置の制御方法。
【手続補正２】
【補正対象書類名】明細書
【補正対象項目名】０００７
【補正方法】変更
【補正の内容】
【０００７】
ＯＳにドライバーがインストールされたことで生成されるプリンターキューを介して画像形成装置にジョブを送信し、ドキュメントの出力処理を実行させるクライアント装置であって、前記クライアント装置が有する複数の機能のうちの一つの機能を用いて前記出力処理を行うための複数の前記プリンターキューと関連付く、前記クライアント装置のデスクトップ上に表示される仮想デバイスオブジェクトであって、前記仮想デバイスオブジェクトを介して前記プリンターキューに対するユーザー操作を受け付ける第一の受け付け手段と、複数の前記プリンターキューに関連付く第一の画面であって、複数の前記プリンターキューの中からプリンターキューを選択するユーザー操作を、前記第一の画面で受け付ける第二の受け付け手段と、前記第一の受け付け手段によって受け付けたユーザー操作に応じて前記第一の画面を表示し、前記第二の受け付け手段によって受け付けたユーザー操作により前記第一の画面で選択されたプリンターキューを用いて、前記ドキュメントの出力処理を実行させる実行手段と、を有するクライアント装置。